(57)【要約】【課題】安価な回折素子を用いても十分な特性でＤＶＤ及びＣＤに対して情報の記録または再生の少なくとも一方を行うことができる光ピックアップ装置及び光ディスク装置を提供することを目的とする。【解決手段】回折格子２ａが、０次光が入射するトラック１８ｃ、１８ｄ、１９ａに対し、第１のトラックピッチの第１のＤＶＤ１８ａにおいては２つ離れたトラック１８ｃと３つ離れたトラック１８ｃとの中間に、第２のトラックピッチの第２のＤＶＤ１８ｂ及びＣＤ１９においては１つ離れたトラック１８ｄ、１９ａと２つ離れたトラック１８ｄ、１９ａとの中間に、±１次光が０次光を中心に略点対称に入射するような格子間隔と格子方向との組み合わせを有している光ピックアップ装置とした。【選択図】図８
2007334999.tif 000002
【特許請求の範囲】
【請求項１】
第１のトラックピッチの第１のＤＶＤ及び第２のトラックピッチの第２のＤＶＤに照射するレーザ光及びＣＤに照射するレーザ光を出射するレーザ光源と、
前記レーザ光源から出射されたレーザ光を０次光と±１次光に回折してトラッキング制御に用いるレーザ光を生成する回折格子と、を備え、
前記回折格子は、前記０次光が入射するトラックに対し、前記第１のＤＶＤにおいては２つ離れたトラックと３つ離れたトラックとの中間に、前記第２のＤＶＤ及び前記ＣＤにおいては１つ離れたトラックと２つ離れたトラックとの中間に、前記±１次光が前記０次光を中心に略点対称に入射するような格子間隔と格子方向との組み合わせを有していることを特徴とする光ピックアップ装置。
【請求項２】
前記第１のトラックピッチが約０．７４μｍであり、また、前記第２のトラックピッチが約１．２３μｍであることを特徴とする請求項１記載の光ピックアップ装置。
【請求項３】
前記±１次光が前記第１のＤＶＤに入射する位置は、前記０次光に対して２．５０±０．４０トラックピッチの範囲で離れた位置であることを特徴とする請求項１記載の光ピックアップ装置。
【請求項４】
前記±１次光が前記第２のＤＶＤに入射する位置は、前記０次光に対して１．５０±０．２４トラックピッチの範囲で離れた位置であることを特徴とする請求項１記載の光ピックアップ装置。
【請求項５】
前記±１次光が７００ＭＢの容量を持つ前記ＣＤに入射する位置は、前記０次光に対して１．４９±０．２４トラックピッチの範囲で離れた位置であることを特徴とする請求項１記載の光ピックアップ装置。
【請求項６】
前記±１次光が６５０ＭＢの容量を持つ前記ＣＤに入射する位置は、前記０次光に対して１．３９±０．２２トラックピッチの範囲で離れた位置であることを特徴とする請求項１記載の光ピックアップ装置。
【請求項７】
前記±１次光が前記第１及び第２のＤＶＤに入射する位置は、前記０次光に対して前記第１及び第２のＤＶＤの半径方向の距離が１．８５±０．３０μｍの範囲で離れた位置であることを特徴とする請求項１記載の光ピックアップ装置。
【請求項８】
前記±１次光が前記ＣＤに入射する位置は、前記０次光に対して前記ＣＤの半径方向の距離が２．２２±０．３６μｍの範囲で離れた位置であることを特徴とする請求項１記載の光ピックアップ装置。
【請求項９】
前記回折格子は、前記第１及び第２のＤＶＤにおいて、前記０次光の光量Ｉ１０と＋１次光または−１次光の光量Ｉ１１の比Ｉ１０／Ｉ１１を１０以上２０以下とし、前記ＣＤにおいて０次光の光量Ｉ２０と＋１次光または−１次光の光量Ｉ２１の比Ｉ２０／Ｉ２１を１５以上３０以下となるような屈折率と格子深さとの組み合わせを有していることを特徴とする請求項１記載の光ピックアップ装置。
【請求項１０】
前記第１及び第２のＤＶＤで反射されたレーザ光及び前記ＣＤで反射されたレーザ光を受光する受光器と、
前記第１及び第２のＤＶＤで反射されたレーザ光及び前記ＣＤで反射されたレーザ光を前記受光器に向かわせる光学素子と、を備え、
前記回折格子を前記光学素子の前記レーザ光源に対向する面に設けたことを特徴とする請求項１記載の光ピックアップ装置。
【請求項１１】
前記第１及び第２のＤＶＤで反射されたレーザ光及び前記ＣＤで反射されたレーザ光を受光する受光器と、
前記回折格子と前記第１、第２のＤＶＤまたは前記ＣＤの間に配置され、前記第１、第２のＤＶＤ及び前記ＣＤで反射されたレーザ光を前記受光器に向かわせる光学素子と、
前記光学素子で前記受光器に向かわせられた前記第１、第２のＤＶＤ及び前記ＣＤで反射されたレーザ光に焦点誤差を与える焦点誤差生成素子と、を備えたことを特徴とする請求項１記載の光ピックアップ装置。
【請求項１２】
前記焦点誤差生成素子は、前記光学素子と前記受光器との間に配置された、光軸を含んで直交する２つの断面で焦点距離が異なるレンズであることを特徴とする請求項１１記載の光ピックアップ装置。
【請求項１３】
前記焦点誤差生成素子は、前記光学素子が内部に有する斜面に設けられ、光軸を含んで直交する２つの断面で焦点距離が異なる回折型の反射ミラーであることを特徴とする請求項１１記載の光ピックアップ装置。
【請求項１４】
前記レーザ光源と前記回折格子と前記受光器と前記光学素子と前記焦点誤差生成素子とを一体のユニットとして保持して基台に固定される結合部材を備えたことを特徴とする請求項１１記載の光ピックアップ装置。
【請求項１５】
第１のトラックピッチの第１のＤＶＤ及び第２のトラックピッチの第２のＤＶＤに照射するレーザ光及びＣＤに照射するレーザ光を出射するレーザ光源と、
前記レーザ光源から出射されたレーザ光を０次光と±１次光に回折してトラッキング制御に用いるレーザ光を生成する回折格子と、を備え、
前記回折格子は、前記０次光が入射するトラックに対し、前記第１のＤＶＤにおいては２つ離れたトラックと３つ離れたトラックとの中間に、前記第２のＤＶＤ及び前記ＣＤにおいては１つ離れたトラックと２つ離れたトラックとの中間に、前記±１次光が前記０次光を中心に略点対称に入射するような格子間隔と格子方向との組み合わせを有している光ピックアップ装置を備えたことを特徴とする光ディスク装置。
【発明の詳細な説明】
【技術分野】
【０００１】
本発明は、パーソナルコンピュータ、ノートブック型コンピュータ等の電子機器に搭載される光ピックアップ装置及び光ディスク装置に関するものである。
【背景技術】
【０００２】
従来、光ディスク装置に用いられる光ピックアップ装置は、光ディスク装置が搭載されるノートブック型コンピュータ等の薄型化、小型化の推進に伴い、薄型化、小型化が進められてきた。それに伴い光ディスクにレーザ光を出射するレーザ光源も２種類の波長のレーザ光を出射できるレーザ光源が用いられ始めてきた。
【０００３】
図１９は従来の光ピックアップ装置の光学系の構成図である。光ピックアップ装置はＤＶＤ及びＣＤに対して、情報の記録または再生の少なくとも一方を行うことができる。レーザ光源１０１はＤＶＤ用の波長λ１（約６５０ｎｍ）のレーザ光及びＣＤ用の波長λ２（約７８０ｎｍ）のレーザ光を出射する。回折素子１０２はＤＶＤ用のレーザ光を回折して０次光、±１次光のレーザ光を生成するＤＶＤ用の回折格子１０２ａとＣＤ用のレーザ光を回折して０次光、±１次光のレーザ光を生成するＣＤ用の回折格子１０２ｂとを備える。生成された０次光、±１次光のレーザ光はそれぞれＤＶＤ１１２とＣＤ１１３のトラッキング制御に用いられる。光学素子１０３は内部に偏光分離膜１０３ａを備えた斜面を有する。偏光分離膜１０３ａはレーザ光源１０１から出射されＤＶＤ１１２、ＣＤ１１３に向かうレーザ光の一部を第２受光器１１１に向かわせ、ＤＶＤ１１２、ＣＤ１１３で反射して戻ってきたレーザ光を受光器１１０に向かわせる。反射ミラー１０４は光路を折り曲げて光ピックアップ装置を小型にするものである。コリメートレンズ１０５は発散光であるレーザ光源１０１から出射されたレーザ光を略平行光にし、ＤＶＤ１１２、ＣＤ１１３で反射されて戻ってきた平行光のレーザ光を集束光に変換する。１／４波長板１０６はＰ偏光であるレーザ光源１０１から出射されたＤＶＤ用のレーザ光の偏光状態を円偏光に変換し、ＤＶＤ１１２で反射されて円偏光で戻ってきたレーザ光の偏光状態をＳ偏光に変換する。ＣＤ用のレーザ光はＰ偏光のまま透過する。立ち上げプリズム１０７はそれまでＤＶＤ１１２やＣＤ１１３に略平行であった光路をＤＶＤ１１２やＣＤ１１３に直角な方向に立ち上げるためのプリズムである。対物レンズ１０８はＤＶＤ１１２やＣＤ１１３に対して合焦で入射させるための集光レンズである。検出レンズ１０９はＤＶＤ１１２、ＣＤ１１３で反射されたレーザ光に対し、光軸を含んで直交する二つの断面で焦点距離が異なるレンズである。検出レンズ１０９によりフォーカス制御に用いられる光束が生成される。受光器１１０はレーザ光源１０１から出射されＤＶＤ１１２、ＣＤ１１３で反射されたレーザ光を受光する。その出力によりトラッキング制御に用いられる信号、フォーカス制御に用いられる信号、ＤＶＤ１１２やＣＤ１１３の再生信号等が生成される。第２受光器１１１はレーザ光源１０１から出射されたレーザ光を受光する。その出力によりレーザ光源１０１から出射されるレーザ光の出力制御に用いられる信号が生成される。
【０００４】
（特許文献１）、（特許文献２）、（特許文献３）、（特許文献４）にはＤＶＤ用のレーザ光とＣＤ用のレーザ光を出射するレーザ光源１０１と、ＤＶＤ用の回折格子１０２ａとＣＤ用の回折格子１０２ｂが直列に光路に配置された回折素子２とを備えた構成が示されている。図２０（ａ）は従来の回折素子の斜視図、図２０（ｂ）は平面αでの断面図、図２０（ｃ）は上面図、図２０（ｄ）は下面図である。図２０において回折素子１０２は基板１０２ｃの上面にＤＶＤ用の回折格子１０２ａ、下面にＣＤ用の回折格子１０２ｂを形成した構成である。回折格子１０２ａ、１０２ｂは所定の間隔、深さ、角度で形成された溝である。凸としても良い。この溝の間隔、深さ、角度により±１次光の光量、出射方向が決まる。すなわちＤＶＤ１１２やＣＤ１１３に入射したときの配列が決まる。
【０００５】
ＤＶＤ１１２やＣＤ１１３に入射したときの入射スポットの配列の例について説明する。図２１（ａ）はＤＶＤ−Ｒ／ＲＷに入射したレーザ光の配列を示す図、図２１（ｂ）はＣＤに入射したレーザ光の配列を示す図である。ＤＶＤ−Ｒ／ＲＷの場合、ＤＶＤ用の回折格子１０２ａで分離された０次光はスポット１１４としてトラック１１２ａ上に入射する。±１次光はスポット１１４ａとしてスポット１１４からそれぞれ反対側に０．５トラックピッチだけ離れた位置に入射する。±１次光がトラック１１２ａに対して角度θ１だけ傾くように回折格子１０２ａの溝の方向を決める。
【０００６】
一方ＣＤの場合、ＣＤ用の回折格子１０２ｂで回折された０次光はスポット１１５としてトラック１１３ａ上に入射する。±１次光はスポット１１５ａとしてスポット１１５からそれぞれ反対側に０．５トラックピッチだけ離れた位置に入射する。±１次光はトラック１１３ａに対して角度θ２だけ傾くように回折格子１０２ｂの溝の方向を決める。
【０００７】
ＤＶＤ１１２、ＣＤ１１３の両方に対して所定の適切な位置に±１次光を入射させるために、回折格子１０２ａと回折格子１０２ｂとはそれぞれ精度良く作製されなければならない。さらに角度θ１と角度θ２の差に相当する回折格子１０２ａと回折格子１０２ｂの相対的な溝の方向のずれが精度良く合わせ込まれなければならない。
【特許文献１】特開平９−９７４４８号公報
【特許文献２】特開２００３−６８９１号公報
【特許文献３】特開２００３−１６２８３１号公報
【特許文献４】特開２００５−２５７９０号公報
【発明の開示】
【発明が解決しようとする課題】
【０００８】
ところが、回折素子はＤＶＤ用の回折格子とＣＤ用の回折格子とを精度良く作製し、且つＤＶＤ用の回折格子とＣＤ用の回折格子とを相対的角度を精度良く組み合わせることが必要なため、どうしても高価になってしまう。
【０００９】
本発明は、上記従来の問題点を解決するもので、安価な回折素子を用いても十分な特性でＤＶＤ及びＣＤに対して情報の記録または再生の少なくとも一方を行うことができる光ピックアップ装置及び光ディスク装置を提供することを目的とする。
【課題を解決するための手段】
【００１０】
上記目的を達成するために本発明は、第１のトラックピッチの第１のＤＶＤ及び第２のトラックピッチの第２のＤＶＤに照射するレーザ光及びＣＤに照射するレーザ光を出射するレーザ光源と、前記レーザ光源から出射されたレーザ光を０次光と±１次光に回折してトラッキング制御に用いるレーザ光を生成する回折格子と、を備え、前記回折格子は、前記０次光が入射するトラックに対し、前記第１のＤＶＤにおいては２つ離れたトラックと３つ離れたトラックとの中間に、前記第２のＤＶＤ及び前記ＣＤにおいては１つ離れたトラックと２つ離れたトラックとの中間に、前記±１次光が前記０次光を中心に略点対称に入射するような格子間隔と格子方向との組み合わせを有していることを特徴とする光ピックアップ装置とした。
【００１１】
回折格子を第１のＤＶＤ用、第２のＤＶＤ用、ＣＤ用とで共用することを考える。第１のトラックピッチを約０．７４μｍ、第２のトラックピッチを約１．２３μｍとする。第１のＤＶＤと第２のＤＶＤのトラックピッチの比は、０．７４：１．２３≒３：５＝１．５：２．５となる。第２のＤＶＤにおいて、０次光が入射するトラックに対し、＋１次光と−１次光とは１つ離れたトラックと２つ離れたトラックとの中間に０次光を中心に略点対称に入射するように回折格子の格子間隔と格子方向とを組み合わせるとする。すると、第１のＤＶＤにおいて、０次光が入射するトラックに対し、＋１次光と−１次光とは２つ離れたトラックと３つ離れたトラックとの中間に０次光を中心に略点対称に入射することになる。
【００１２】
一方、同じ回折格子にＣＤに照射するレーザ光を入射させる。回折格子で回折されたレーザ光の０次光と±１次光との距離は波長に比例する。ＤＶＤに照射するレーザ光の波長は約６５０ｎｍ、ＣＤに照射するレーザ光の波長は約７８０ｎｍである。そのため、ＣＤに照射するレーザ光の方がＤＶＤに照射するレーザ光よりも１．２倍ほど０次光と±１次光との距離が長くなる。７００ＭＢの容量を持つＣＤのトラックピッチは約１．４９μｍであるので、第２のＤＶＤとＣＤのトラックピッチの比は、１．２３：１．４９≒１：１．２である。したがって、ＣＤにおいて、同じ回折格子を用いて、０次光が入射するトラックに対し、＋１次光と−１次光とを１つ離れたトラックと２つ離れたトラックとの中間に０次光を中心に略点対称に入射させることができる。このように、０次光が入射するトラックに対して＋１次光と−１次光とが、トラックとトラックとの中間に０次光を中心に略点対称に入射すると、トラッキング制御法の一つである３ビーム差動プッシュプル法を採用することができる。
【発明の効果】
【００１３】
本発明の光ピックアップ装置は、ＤＶＤ用とＣＤ用とで共用の回折格子を用い、ＤＶＤに対してもＣＤに対しても適切なトラッキング制御を行うことができる。そのため、安価な回折素子を用いても十分な特性でＤＶＤ及びＣＤに対して情報の記録または再生の少なくとも一方を行うことができる。
【発明を実施するための最良の形態】
【００１４】
本発明の請求項１の発明は、第１のトラックピッチの第１のＤＶＤ及び第２のトラックピッチの第２のＤＶＤに照射するレーザ光及びＣＤに照射するレーザ光を出射するレーザ光源と、レーザ光源から出射されたレーザ光を０次光と±１次光に回折してトラッキング制御に用いるレーザ光を生成する回折格子と、を備え、回折格子は、０次光が入射するトラックに対し、第１のＤＶＤにおいては２つ離れたトラックと３つ離れたトラックとの中間に、第２のＤＶＤ及びＣＤにおいては１つ離れたトラックと２つ離れたトラックとの中間に、±１次光が０次光を中心に略点対称に入射するような格子間隔と格子方向との組み合わせを有している光ピックアップ装置である。
【００１５】
ＤＶＤ用とＣＤ用とで共用の回折格子を用い、ＤＶＤに対してもＣＤに対しても適切なトラッキング制御を行うことができる。そのため、安価な回折素子を用いても十分な特性でＤＶＤ及びＣＤに対して情報の記録または再生の少なくとも一方を行うことができる。
【００１６】
請求項２の発明は、請求項１の発明において、第１のトラックピッチが約０．７４μｍであり、また、第２のトラックピッチが約１．２３μｍである光ピックアップ装置である。
【００１７】
ＤＶＤ用とＣＤ用とで共用の回折格子を用い、ＤＶＤに対してもＣＤに対しても適切なトラッキング制御を行うことができる。そのため、安価な回折素子を用いても十分な特性でＤＶＤ及びＣＤに対して情報の記録または再生の少なくとも一方を行うことができる。
【００１８】
請求項３の発明は、請求項１の発明において、±１次光が第１のＤＶＤに入射する位置は、０次光に対して２．５０±０．４０トラックピッチの範囲で離れた位置である光ピックアップ装置である。
【００１９】
３ビーム差動プッシュプル法で第１のＤＶＤのトラッキング制御を行うことができる。
【００２０】
請求項４の発明は、請求項１の発明において、±１次光が第２のＤＶＤに入射する位置は、０次光に対して１．５０±０．２４トラックピッチの範囲で離れた位置である光ピックアップ装置である。
【００２１】
第２のＤＶＤにおける１．５０±０．２４トラックピッチが第１のＤＶＤにおける２．５０±０．４０トラックピッチに相当する。したがって、第１のＤＶＤにおいて３ビーム差動プッシュプル法でトラッキング制御を行えるだけでなく、第２のＤＶＤにおいては余裕を持って３ビーム差動プッシュプル法によるトラッキング制御を行うことができる。
【００２２】
請求項５の発明は、請求項１の発明において、±１次光が７００ＭＢの容量を持つＣＤに入射する位置は、０次光に対して１．４９±０．２４トラックピッチの範囲で離れた位置である光ピックアップ装置である。
【００２３】
同じ回折格子を用いると、７００ＭＢの容量を持つＣＤにおける１．４９±０．２４トラックピッチが第１のＤＶＤにおける２．５０±０．４０トラックピッチに相当する。したがって、第１のＤＶＤにおいて３ビーム差動プッシュプル法でトラッキング制御を行えるだけでなく、７００ＭＢの容量を持つＣＤにおいては余裕を持って３ビーム差動プッシュプル法によるトラッキング制御を行うことができる。
【００２４】
請求項６の発明は、請求項１の発明において、±１次光が６５０ＭＢの容量を持つＣＤに入射する位置は、０次光に対して１．３９±０．２２トラックピッチの範囲で離れた位置である光ピックアップ装置である。
【００２５】
７００ＭＢの容量を持つＣＤにおける１．４９±０．２４トラックピッチが６５０ＭＢの容量を持つＣＤにおける１．３９±０．２２トラックピッチに相当する。６５０ＭＢの容量を持つＣＤにおいても余裕を持って３ビーム差動プッシュプル法によるトラッキング制御を行うことができる。
【００２６】
請求項７の発明は、請求項１の発明において、±１次光が第１及び第２のＤＶＤに入射する位置は、０次光に対して第１及び第２のＤＶＤの半径方向の距離が１．８５±０．３０μｍの範囲で離れた位置である光ピックアップ装置である。
【００２７】
±１次光が０次光に対して１．８５μｍ離れた距離は第１のＤＶＤにおいて２．５トラックピッチ、第２のＤＶＤにおいて１．５トラックピッチ離れた距離に相当する。また、０．３０μｍは、第１のＤＶＤにおいて０．４０トラックピッチ、第２のＤＶＤにおいて０．２４トラックピッチに相当する。したがって、第１のＤＶＤにおいて３ビーム差動プッシュプル法を用いてトラッキング制御を行うことができるとともに、第２のＤＶＤにおいて余裕を持って３ビーム差動プッシュプル法を用いてトラッキング制御を行うことができる。
【００２８】
請求項８の発明は、請求項１の発明において、±１次光がＣＤに入射する位置は、０次光に対してＣＤの半径方向の距離が２．２２±０．３６μｍの範囲で離れた位置である光ピックアップ装置である。
【００２９】
第１及び第２のＤＶＤにおいて±１次光が０次光に対して１．８５±０．３０μｍ離れる場合、同じ回折格子を用いると、ＣＤにおいて±１次光は０次光に対して２．２２±０．３６μｍ離れることになる。これは、７００ＭＢの容量を持つＣＤに対して１．４９±０．２４トラックピッチ、６５０ＭＢの容量を持つＣＤに対して１．３９±０．２２トラックピッチに相当し、余裕を持って３ビーム差動プッシュプル法によるトラッキング制御を行うことができる。
【００３０】
請求項９の発明は、請求項１の発明において、回折格子は、第１及び第２のＤＶＤにおいて、０次光の光量Ｉ１０と＋１次光または−１次光の光量Ｉ１１の比Ｉ１０／Ｉ１１を１０以上２０以下とし、ＣＤにおいて０次光の光量Ｉ２０と＋１次光または−１次光の光量Ｉ２１の比Ｉ２０／Ｉ２１を１５以上３０以下となるような屈折率と格子深さとの組み合わせを有している光ピックアップ装置である。
【００３１】
適切なＩ１０／Ｉ１１、Ｉ２０／Ｉ２１であるため、ＤＶＤもＣＤもトラッキング制御を適正に行うことができる。
【００３２】
請求項１０の発明は、請求項１の発明において、第１及び第２のＤＶＤで反射されたレーザ光及びＣＤで反射されたレーザ光を受光する受光器と、第１及び第２のＤＶＤで反射されたレーザ光及びＣＤで反射されたレーザ光を受光器に向かわせる光学素子と、を備え、回折格子を光学素子のレーザ光源に対向する面に設けた光ピックアップ装置である。
【００３３】
回折格子を形成する新たな部品を必要としないので、部品点数を減らして、さらに光ピックアップ装置を安価にすることができる。また、新たな部品を必要としない分だけ光ピックアップ装置を小型にすることができる。
【００３４】
請求項１１の発明は、請求項１の発明において、第１及び第２のＤＶＤで反射されたレーザ光及びＣＤで反射されたレーザ光を受光する受光器と、回折格子と第１、第２のＤＶＤまたはＣＤの間に配置され、第１、第２のＤＶＤ及びＣＤで反射されたレーザ光を受光器に向かわせる光学素子と、光学素子で受光器に向かわせられた第１、第２のＤＶＤ及びＣＤで反射されたレーザ光に焦点誤差を与える焦点誤差生成素子と、を備えた光ピックアップ装置である。
【００３５】
焦点誤差生成素子でフォーカス制御用のレーザ光を生成する。トラッキング制御用のレーザ光を生成する回折格子を備えた回折素子も、フォーカス制御用のレーザ光を生成する焦点誤差生成素子も対物レンズの直下に配置しないので光ピックアップ装置の中で最も厚さが必要な対物レンズ部分の厚さを薄くすることができる。そのため、薄型の光ピックアップ装置とすることができる。
【００３６】
請求項１２の発明は、請求項１１の発明において、焦点誤差生成素子は、光学素子と受光器との間に配置された、光軸を含んで直交する２つの断面で焦点距離が異なるレンズである光ピックアップ装置である。
【００３７】
光軸を含んで直交する二つの断面で焦点距離が異なるので、フォーカス制御用の信号を得ることができる。
【００３８】
請求項１３の発明は、請求項１１の発明において、焦点誤差生成素子は、光学素子が内部に有する斜面に設けられ、光軸を含んで直交する２つの断面で焦点距離が異なる回折型の反射ミラーである光ピックアップ装置である。
【００３９】
光軸を含んで直交する二つの断面で焦点距離が異なるので、フォーカス制御用の信号を得ることができる。回折型の反射ミラーは平面状に作製することができ、光学素子の斜面に形成することができる。そのため光学素子の外部に光軸を含んで直交する二つの断面で焦点距離が異なる反射ミラーを配置する必要がなく、光ピックアップ装置をより小型にできる。
【００４０】
請求項１４の発明は、請求項１１の発明において、レーザ光源と回折格子と受光器と光学素子と焦点誤差生成素子とを一体のユニットとして保持して基台に固定される結合部材を備えた光ピックアップ装置である。
【００４１】
光学部品を一体のユニットとして小型の結合部材に固定した上で、基台に固定するのでレーザ光源と回折素子と受光器と光学素子と焦点誤差生成素子との相対的な位置関係は変化しにくい。そのため、基台を薄くして光ピックアップ装置全体の厚さを薄くしても、これらの光学部品の相対的な位置関係は変化しにくく、ＤＶＤやＣＤに対して情報の記録や再生を安定して行うことができる。したがって、光ピックアップ装置の薄型化を図ることができる。
【００４２】
請求項１５の発明は、第１のトラックピッチの第１のＤＶＤ及び第２のトラックピッチの第２のＤＶＤに照射するレーザ光及びＣＤに照射するレーザ光を出射するレーザ光源と、レーザ光源から出射されたレーザ光を０次光と±１次光に回折してトラッキング制御に用いるレーザ光を生成する回折格子と、を備え、回折格子は、０次光が入射するトラックに対し、第１のＤＶＤにおいては２つ離れたトラックと３つ離れたトラックとの中間に、第２のＤＶＤ及びＣＤにおいては１つ離れたトラックと２つ離れたトラックとの中間に、±１次光が０次光を中心に略点対称に入射するような格子間隔と格子方向との組み合わせを有している光ピックアップ装置を備えた光ディスク装置である。
【００４３】
ＤＶＤ用とＣＤ用とで共用の回折格子を用い、ＤＶＤに対してもＣＤに対しても適切なトラッキング制御を行うことができる。そのため、安価な回折素子を用いても十分な特性でＤＶＤ及びＣＤに対して情報の記録または再生の少なくとも一方を行うことができる。
【００４４】
（実施の形態１）
本実施の形態１について図面を参照しながら説明する。図１は本実施の形態１の光ピックアップ装置の光学系の構成図、図２は本実施の形態１の光ピックアップ装置の構成図である。光ピックアップ装置１７は各種部品が骨格である基台１２に直接または他の部品を介して取り付けられて構成される。レーザ光源１、回折素子２、ビームスプリッタ３、検出レンズ９、受光器１０が結合部材１３に一体のユニットとして保持されてレーザモジュール１４が構成される。レーザモジュール１４の結合部材１３が基台１２に固定される。対物レンズ８は対物レンズ駆動装置１６の一部を成すレンズホルダ１５に固定され、レンズホルダ１５は対物レンズ駆動装置１６の装置本体に弾性支持される。対物レンズ駆動装置１６の装置本体は基台１２に固定される。また、反射ミラー４、１／４波長板６、立ち上げプリズム７、第２受光器１１は基台１２に直接固定される。なお、図１において、レーザ光源１から１／４波長板６まではＤＶＤ１８やＣＤ１９に平行な面に対しての投影、立ち上げプリズム７からＤＶＤ１８、ＣＤ１９まではＤＶＤ１８、ＣＤ１９に直角な面に対しての投影である。
【００４５】
まず、光学部品について説明する。図３は本実施の形態１のレーザ光源の構成図である。レーザ光源１は発光素子１ａを固定するサブマウント１ｂを固定するプレート１ｃを備えたいわゆるフレームレーザ光源とした。レーザ光源１の厚さは発光素子１ａ、サブマウント１ｂ、プレート１ｃの厚さの合計に配線に必要な厚さを加えたものであり、薄くすることができる。そのため、光ピックアップ装置１７の厚さを薄くすることができる。発光素子１ａはＤＶＤ１８に照射する波長約６５０ｎｍのＤＶＤ用のレーザ光及びＣＤ１９に照射する波長約７８０ｎｍのＣＤ用のレーザ光を発光する素子とした。しかし、発光素子１ａはＤＶＤ用のレーザ光を発光する素子とＣＤ用のレーザ光を発光する素子の２つの素子としても良い。
【００４６】
サブマウント１ｂは窒化アルミニウム等の熱伝導性が良い絶縁材料で形成される。プレート１ｃはＣｕ、Ｃｕ合金、Ａｇ、Ａｇ合金、Ａｌ、Ａｌ合金、Ｆｅ、Ｆｅ合金などの金属材料の板状体で構成される。この板状体の上に溶着性の良い材料をメッキや蒸着などの手段でコーティングすると更に好ましい。なお、プレート１ｃは熱伝導性が良くて導電性が高い材料、例えば導電性セラミックスなどでも良い。
【００４７】
発光素子１ａとサブマウント１ｂとは半田で固定され、サブマウント１ｂとプレート１ｃとはクリーム半田を含めた半田や導電性接着剤等で固定される。発光素子１ａとリード１ｄとの間が適切に導通するようにサブマウント１ｂやプレート１ｃの表面にはパターンが形成されており、金線によるワイヤボンドで配線される。保護部材１ｅで配線を保護している。プレート１ｃの保護部材１ｅの外側の平面部分で結合部材１３に固定される。広い面積でプレート１ｃが結合部材１３に固定するため、良好で安定した組み立て精度を実現できる。発光素子１ａを駆動する電流はリード１ｄから供給される。
【００４８】
図４（ａ）は本実施の形態１の回折格子の斜視構成図、図４（ｂ）は平面Ａによる断面図、図４（ｃ）は下面図である。本実施の形態１の回折素子２は基板２ｂの表面に回折格子２ａを形成した構成とした。基板２ｂはＢＫ７等の光学ガラス等である。本実施の形態１において回折格子２ａは基板２ａの表面に形成した平行な多数の凹凸である。本実施の形態１において回折格子２ａは基板２ａの表面に溝を形成して構成したものとして説明するが、凸を形成して構成したものとしても良い。また、回折格子２ａは回折素子２の下面側の表面に設けたが、上面側でも構わない。レーザ光源１から出射された波長約６５０ｎｍのＤＶＤ用のレーザ光及び波長７８０ｎｍのＣＤ用のレーザ光は回折素子２の下面側から回折素子２に入射し、上面側からＤＶＤ１８、ＣＤ１９に向けて出射される。その際、回折格子２ａはレーザ光源１から出射されたＤＶＤ用のレーザ光及びＣＤ用のレーザ光を回折してトラッキング制御に用いられる０次光、±１次光のレーザ光を生成する。０次光をメインビーム、±１次光をサイドビームとも呼ぶ。回折格子２ａで回折され生成される０次光と±１次光の光量比は、回折格子２ａの屈折率ｎ、深さｄ、通過する光の波長λで主として決まり、±１次光の出射される向きは回折格子２ａの間隔ｐ、ＤＶＤ１８やＣＤ１９の半径方向に平行な方向に対する回折格子２ａの方向θ、通過する光の波長λで主として決まる。
【００４９】
図５は本実施の形態１のビームスプリッタの構成図である。ビームスプリッタ３はＤＶＤ１８で反射されたＤＶＤ用のレーザ光及びＣＤ１９で反射されたＣＤ用のレーザ光を受光器１０に向かわせる光学素子である。ビームスプリッタ３は光学ガラス等で形成され、内部に斜面３ａが設けられており、斜面３ａには偏光分離膜３ｂが形成されている。偏光分離膜３ｂは多層の誘電体膜で構成されている。偏光分離膜３ｂは、レーザ光源１から出射されＰ偏光であるＤＶＤ用のレーザ光及びＣＤ用のレーザ光の大半を透過し一部を反射する。本実施の形態１では約８５％を透過するものとした。透過した光はＤＶＤ１８及びＣＤ１９に向かい、反射した光は第２受光器１１に向かう。また、偏光分離膜３ｂは、ＤＶＤ１８で反射されＳ偏光に変換されたＤＶＤ用のレーザ光の９５％以上を反射する。また、ＣＤ１９で反射されたＰ偏光のままのＣＤ用のレーザ光の１５％程度を反射する。反射した光はそれぞれ受光器１０に向かう。
【００５０】
図６（ａ）は本実施の形態１の検出レンズの働きを示す図、図６（ｂ）はＤＶＤ、ＣＤが近い場合の受光器の受光素子の受光部上の集光スポット形状を示す図、図６（ｃ）はＤＶＤ、ＣＤが遠い場合の受光器の受光素子の受光部上の集光スポット形状を示す図である。検出レンズ９はビームスプリッタ３で受光器１０に向かわせられたＤＶＤ用のレーザ光及びＣＤ用のレーザ光に焦点誤差を与える焦点誤差生成素子である。検出レンズ９は、光軸を含んで直交する二つの断面で焦点距離が異なる値を持つことでＤＶＤ用のレーザ光及びＣＤ用のレーザ光に焦点誤差を与える。図６（ａ）において、検出レンズ９は円筒型レンズであり、一方の面は紙面上下方向のレーザ光に対しては平板として働き、直交する方向のレーザ光に対しては凹レンズとして働くため焦点距離が長くなる。反対側の面は平板である。したがって、紙面上下方向のレーザ光が焦点を結ぶ合焦位置２２と直交する方向のレーザ光が焦点を結ぶ合焦位置２３との中間に受光器１０の受光素子１０ａの受光部１０ｂを配置すると、ほぼ円形の集光スポットが受光部１０ｂの中心部分に現れる。
【００５１】
図６（ｂ）に示すように、ＤＶＤ１８、ＣＤ１９が光ピックアップ装置１７に近づくと、紙面上下方向のレーザ光が焦点を結ぶ合焦位置２２が受光器１０に近づき、直交する方向のレーザ光が焦点を結ぶ合焦位置２３が受光器１０から遠ざかる。そのため受光部Ｂ、受光部Ｄの集光スポットが小さくなり、受光部Ａ、受光部Ｃの集光スポットが大きくなる。逆に図６（ｃ）に示すように、ＤＶＤ１８、ＣＤ１９が光ピックアップ装置１７から遠ざかると、紙面上下方向のレーザ光が焦点を結ぶ合焦位置２２が受光器１０から遠ざかり、直交する方向のレーザ光が焦点を結ぶ合焦位置２３が受光器１０に近づく。そのため受光部Ｂ、受光部Ｄの集光スポットが大きくなり、受光部Ａ、受光部Ｃの集光スポットが小さくなる。受光部Ａと受光部Ｃの出力と受光部Ｂと受光部Ｄの出力の差をフォーカス制御用の信号とする。本実施の形態１の光ピックアップ装置１７における検出レンズ９は光軸に対して直角な面内で４５°傾けて配置している。また、レンズ部自体の外形は円形である。このように、本実施の形態１の検出レンズ９を配置することにより、ＤＶＤ用及びＣＤ用のフォーカス制御用の信号が得られる。
【００５２】
図７は本実施の形態１の受光器の受光素子の受光部の配置図である。受光器１０は受光部１０ｂを有する受光素子１０ａが配線基板に直接接続される構成である。ＤＶＤ１８、ＣＤ１９で反射され検出レンズ９を通ったレーザ光は受光部１０ｂに入射する。受光部１０ｂはＤＶＤ用の受光部Ａ〜Ｌ、ＣＤ用の受光部ａ〜ｈで構成される。
【００５３】
レーザ光源１から出射し、回折格子２ａで回折され、ＤＶＤ１８、ＣＤ１９で反射され、検出レンズ９で方向により焦点位置を変えられたＤＶＤ用のレーザ光及びＣＤ用のレーザ光は受光器１０の受光部１０ｂに入射する。ＤＶＤ用のレーザ光は０次光が受光部Ａ、Ｂ、Ｃ、Ｄに、±１次光の一方が受光部Ｅ、Ｆ、Ｇ、Ｈに、他方が受光部Ｉ、Ｊ、Ｋ、Ｌに入射する。ＣＤ用のレーザ光は０次光が受光部ａ、ｂ、ｃ、ｄに、±１次光の一方が受光部ｅ、ｇに、他方が受光部ｆ、ｈに入射する。受光部１０ｂに入射したレーザ光はそれぞれの受光部に入射した光量に応じて電気信号に変換されて出力される。出力された信号はフォーカス制御、トラッキング制御に使われる。また、ＤＶＤ１８、ＣＤ１９に記録された情報を再生した場合には、その情報も出力された信号により得られる。
【００５４】
第２受光器１１は光検出部を有する受光素子が配線基板に直接接続される構成である。第２受光器１１は受光したレーザ光の光量に応じた電気信号に変換して出力する。出力された信号はレーザ光源１が出射するレーザ光の出力制御に用いられる。
【００５５】
反射ミラー４は光ピックアップ装置１７を小型にするために、光路を折り曲げるためのミラーである。反射ミラー４の表面には全反射膜が形成されている。
【００５６】
コリメートレンズ５は光学ガラスまたは光学プラスチックで作製される。コリメートレンズ５はレーザ光源１から出射した発散光であるＤＶＤ用のレーザ光及びＣＤ用のレーザ光を略平行光に変換する。また、ＤＶＤ１８で反射した略平行光であるＤＶＤ用のレーザ光及びＣＤ１９で反射した略平行光のＣＤ用のレーザ光を集束光に変換する。コリメートレンズ５は両凸非球面レンズである。
【００５７】
１／４波長板６はＤＶＤ用の波長のレーザ光に対しては１／４波長板として作用し、ＣＤ用の波長のレーザ光に対しては実質的に波長板として作用しない位相を有している。そのため、コリメートレンズ５からのＤＶＤ用のレーザ光はＰ偏光から円偏光に変換される。ＣＤ用のレーザ光はＰ偏光のまま透過する。また、ＤＶＤ１８で反射したＤＶＤ用のレーザ光は円偏光からＳ偏光に変換される。ＣＤ１９で反射したＣＤ用のレーザ光はＰ偏光のまま透過する。
【００５８】
立ち上げプリズム７は三角形状のプリズムで、内部で２回反射してレーザ光の進行方向をＤＶＤ１８、ＣＤ１９に対して垂直な方向に変換する。立ち上げプリズム７は光学ガラスまたは光学プラスチックで作製される。立ち上げプリズム７は、レーザ光源１から出射されたＤＶＤ用のレーザ光のＤＶＤ１８に直角な方向の幅及びＣＤ用のレーザ光のＣＤ１９に直角な方向の幅を拡大して対物レンズ８に入射させる働きも持つ。ＤＶＤ１８やＣＤ１９に直角な方向は光ピックアップ装置１７の厚さ方向であるので、立ち上げプリズム７を用いることで光ピックアップ装置１７の厚さが薄くできる。
【００５９】
対物レンズ８は２焦点レンズであり、光学ガラスまたは光学プラスチックで作製される。コリメートレンズ５で略平行光にされたレーザ光は対物レンズ８でそれぞれの波長に応じたＤＶＤ１８、ＣＤ１９の情報記録面に焦点を結ぶように集光される。なお、対物レンズ８は集光レンズおよびフレネルレンズまたはホログラムレンズの組み合わせ、ＤＶＤ用集光レンズにＣＤ再生時に開口制限手段を設ける組み合わせ等を用い、ＤＶＤ１８とＣＤ１９との厚みおよび開口数の違いを吸収するものも使用することができる。
【００６０】
ＤＶＤ１８はＤＶＤ−ＲＯＭ、ＤＶＤ±Ｒ／ＲＷ、ＤＶＤ−ＲＡＭがある。トラックピッチが約０．７４μｍのＤＶＤ１８を第１のＤＶＤ１８ａとし、第１のＤＶＤ１８ａにはＤＶＤ−ＲＡＭがある。第１のトラックピッチは第１のＤＶＤ１８ａのトラックピッチである。トラックピッチが約１．２３μｍのＤＶＤ１８を第２のＤＶＤ１８ｂとし、第２のＤＶＤ１８ｂにはＤＶＤ−Ｒ／ＲＷがある。第２のトラックピッチは第２のＤＶＤ１８ｂのトラックピッチである。ＣＤ１９はＣＤ、ＣＤ−ＲＯＭ、ＣＤ−Ｒ／ＲＷ等がある。ＣＤ１９には７００ＭＢの容量を持ち、トラックピッチが約１．４９μｍのものと６５０ＭＢの容量を持ち、トラックピッチが約１．６０μｍのものとがある。ＤＶＤ１８もＣＤ１９も再生専用の媒体を除いて全て記録も再生も可能なものである。
【００６１】
次に、回折格子２ａで回折して生成された０次光と±１次光のＤＶＤ１８やＣＤ１９上での様子について説明する。図８は、本実施の形態１の回折格子で回折されたレーザ光のＤＶＤ、ＣＤ上の配列を示す図である。レーザ光源１から出射されて回折素子２の回折格子２ａで回折されたレーザ光はＤＶＤ１８やＣＤ１９に入射する。ＤＶＤ１８やＣＤ１９のトラック１８ｃ、１８ｄ、１９ａの方向はＤＶＤ１８やＣＤ１９の円周の接線方向に平行な方向である。
【００６２】
第１のＤＶＤ１８ａにおいては、０次光のスポット２０がトラック１８ｃに集光する。第１のＤＶＤ１８ａにおいてトラック１８ｃのトラックピッチは約０．７４μｍである。±１次光のスポット２０ａは、０次光のスポット２０が集光するトラック１８ｃから２つ離れたトラック１８ｃと３つ離れたトラック１８ｃとの中間に集光する。その際、＋１次光のスポット２０ａと−１次光のスポット２０ａとは、０次光のスポット２０を中心に略点対称の位置に集光する。±１次光のスポット２０ａと０次光のスポット２０とが並ぶ方向はトラック１８ｃの方向に対して角度φだけ傾く。この角度φは、ＤＶＤ１８やＣＤ１９の半径方向に平行な方向に対する回折格子２ａの方向θに相当する。
【００６３】
第２のＤＶＤ１８ｂにおいては、０次光のスポット２０がトラック１８ｄに集光する。第２のＤＶＤ１８ｂにおける０次光と±１次光は第１のＤＶＤ１８ａにおける０次光と±１次光とは全く同じものである。第２のＤＶＤ１８ｂにおいてトラック１８ｄのトラックピッチは約１．２３μｍである。±１次光のスポット２０ａは、０次光のスポット２０が集光するトラック１８ｄから１つ離れたトラック１８ｄと２つ離れたトラック１８ｄとの中間に集光する。その際、＋１次光のスポット２０ａと−１次光のスポット２０ａとは、０次光のスポット２０を中心に略点対称の位置に集光する。±１次光のスポット２０ａと０次光のスポット２０とが並ぶ方向はやはりトラック１８ｄの方向に対して角度φだけ傾く。
【００６４】
ＣＤ１９においては、０次光のスポット２１がトラック１９ａに集光する。ＣＤ１９のトラックピッチは約１．４９μｍまたは１．６０μｍである。±１次光のスポット２１ａは、０次光のスポット２１が集光するトラック１９ａから１つ離れたトラック１９ａと２つ離れたトラック１９ａとの中間に集光する。その際、＋１次光のスポット２１ａと−１次光のスポット２１ａとは、０次光のスポット２１を中心に略点対称の位置に集光する。±１次光のスポット２１ａと０次光のスポット２１とが並ぶ方向はトラック１９ａの方向に対して角度φだけ傾く。この角度φは、ＤＶＤ用のレーザ光の±１次光のスポット２０ａと０次光のスポット２０とが並ぶ方向と同じであり、ＤＶＤ１８やＣＤ１９の半径方向に平行な方向に対する回折格子２ａの方向θに相当する。
【００６５】
回折格子２ａで回折された±１次光が出射する方向は回折格子２ａの格子間隔ｐと格子方向θで主として決まる。したがって、±１次光が上記のように配列するように、格子間隔ｐと格子方向θの組み合わせを決めることが肝要である。
【００６６】
図９（ａ）は本実施の形態１の第１のＤＶＤに入射したレーザ光の配列を示す図、図９（ｂ）は第２のＤＶＤに入射したレーザ光の配列を示す図、図９（ｃ）は７００ＭＢの容量のＣＤに入射したレーザ光の配列を示す図、図９（ｄ）は６５０ＭＢの容量のＣＤに入射したレーザ光の配列を示す図である。第１のＤＶＤ１８ａにおいて、回折格子２ａで回折され生成された０次光のスポット２０がトラック１８ａ上に集光し、±１次光のスポット２０ａはＤＶＤ−ＲＡＭのトラック１８ａに平行な方向に対して角度φだけずれて集光する。その際、±１次光のスポット２０ａは０次光のスポット２０に対して、それぞれ第１のＤＶＤ１８ａの半径方向において約１．８５μｍずれるようにする。そのずれ量はトラックピッチが約０．７４μｍの第１のＤＶＤ１８ａにおいて約２．５トラックピッチに相当する。第２のＤＶＤ１８ｂにおいて、回折格子２ａで回折され生成された０次光のスポット２０がトラック１８ｄ上に集光し、±１次光のスポット２０ａは第２のＤＶＤ１８ｂのトラック１８ｄに平行な方向に対してやはり角度φだけずれて集光する。したがって、±１次光のスポット２０ａは０次光のスポット２０に対して、それぞれ第２のＤＶＤ１８ｂの半径方向において約１．８５μｍずれることになる。そのずれ量はトラックピッチが約１．２３μｍの第２のＤＶＤ１８ｂにおいて約１．５トラックピッチに相当する。
【００６７】
一方、７００ＭＢの容量のＣＤにおいて、回折格子２ａで回折され生成された０次光のスポット２１がトラック１９ａ上に集光し、±１次光のスポット２１ａは７００ＭＢの容量のＣＤのトラック１９ａに平行な方向に対してやはり角度φだけずれて集光する。その際、０次光のスポットと±１次光のスポットの間隔は波長に比例する。すなわち、ＣＤ用の０次光のスポット２１と±１次光のスポット２１ａとの間隔はＤＶＤ用の０次光のスポット２０と±１次光のスポット２０ａとの間隔の７８０ｎｍ／６５０ｎｍ＝１．２倍ほどになる。したがって、ＣＤの±１次光のスポット２１ａは０次光のスポット２１に対して、それぞれ７００ＭＢのＣＤの半径方向において約１．８５μｍ×１．２＝約２．２２μｍだけずれることになる。そのずれ量はトラックピッチが約１．４９μｍの７００ＭＢのＣＤにおいて約１．５トラックピッチに相当する。また、６５０ＭＢのＣＤにおいて、回折格子２ａで回折され生成された０次光のスポット２１がトラック１９ｂ上に集光し、±１次光のスポット２１ａは６５０ＭＢのＣＤのトラック１９ｂに平行な方向に対してやはり角度φだけずれて集光する。したがって、±１次光のスポット２１ａは０次光のスポット２１に対して、それぞれ６５０ＭＢのＣＤの半径方向において約２．２２μｍずれることになる。そのずれ量は、トラックピッチが約１．６０μｍの６５０ＭＢのＣＤにおいて約１．３８トラックピッチに相当する。
【００６８】
トラッキング制御法は、±１次光のスポットと０次光のスポットのＤＶＤ１８やＣＤ１９の半径方向の位置の差が０．５の奇数倍のトラックピッチに近いと、３ビーム差動プッシュプル法を採用することができる。すなわち、０次光がトラック上に入射し、±１次光がトラックとトラックの中間に入射するように回折格子２ａを構成して配置すれば、３ビーム差動プッシュプル法のトラッキング制御をすることができる。本実施の形態１において、第１のＤＶＤ１８ａ、第２のＤＶＤ１８ｂ、７００ＭＢの容量のＣＤにおける０次光のスポット２０、２１と±１次光のスポット２０ａ、２１ａとのＤＶＤ１８やＣＤ１９の半径方向の位置の差はそれぞれ約１．５トラックピッチ、約２．５トラックピッチ、約１．５トラックピッチである。すべて０．５の奇数倍のトラックピッチに近いため、３ビーム差動プッシュプル法のトラッキング制御を採用することができる。また、６５０ＭＢの容量のＣＤにおいても０次光のスポット２１と±１次光のスポット２１ａとのＣＤ１９の半径方向の位置の差は約１．３８トラックピッチであり、０．５の奇数倍のトラックピッチに近く、３ビーム差動プッシュプル法のトラッキング制御を採用することができる。以上のように、本実施の形態１の回折格子２ａはＤＶＤ用のレーザ光及びＣＤ用のレーザ光を回折して３ビーム差動プッシュプル法のトラッキング制御に好適に用いられる０次光及び±１次光を生成することができる。
【００６９】
実際には材料の屈折率、格子深さ、格子間隔等の回折格子２ａのばらつき、レーザ光の波長のばらつき、光ピックアップ装置１７を組み立てる際のばらつき、ＤＶＤ１８、ＣＤ１９のばらつき等によりＤＶＤ１８上の０次光のスポット２０と±１次光のスポット２０ａの半径方向の距離、ＣＤ１９上の０次光のスポット２１と±１次光のスポット２１ａの半径方向の距離にはばらつきが生じる。このばらつきが、トラックピッチの約０．４倍以内であれば、３ビーム差動プッシュプル法のトラッキング制御を使うことができる。また、約０．２倍以内であれば、規格から外れているような粗悪なＤＶＤ１８やＣＤ１９に対しても安定してトラッキング制御することができる。
【００７０】
この場合、トラックピッチの条件を満たすのが厳しいのが、第１のＤＶＤ１８ａである。すなわち、第１のＤＶＤ１８ａにおいて、±１次光のスポット２０ａが０次光のスポット２０が集光するトラックに対して約２．５０±０．４０トラックピッチの範囲で離れていれば、３ビーム差動プッシュプル法を用いることができる。これは、ＤＶＤ１８の半径方向の距離が１．８５±０．３０μｍに相当し、第２のＤＶＤ１８ｂにおいて、約１．５０±０．２４トラックピッチに相当する。また、１．８５±０．３０μｍという距離は、ＣＤ１９において、２．２２±０．３６μｍに相当する。この距離は、７００ＭＢの容量のＣＤ１９では約１．４９±０．２４トラックピッチ、６５０ＭＢの容量のＣＤ１９では約１．３９±０．２２トラックピッチに相当する。
【００７１】
また、第１のＤＶＤ１８ａにおいて、±１次光のスポット２０ａが０次光のスポット２０が集光するトラックに対して約２．５０±０．２０トラックピッチの範囲で離れていれば、規格から外れているような粗悪なＤＶＤ１８やＣＤ１９に対しても安定してトラッキング制御することができる。これは、ＤＶＤ１８の半径方向の距離が１．８５±０．１５μｍに相当し、第２のＤＶＤ１８ｂにおいて、約１．５０±０．１２トラックピッチに相当する。また、１．８５±０．１５μｍという距離は、ＣＤ１９において、２．２２±０．１８μｍに相当する。この距離は、７００ＭＢの容量のＣＤ１９では約１．４９±０．１２トラックピッチ、６５０ＭＢの容量のＣＤ１９では約１．３９±０．１１トラックピッチに相当する。
【００７２】
次に回折格子２ａで生成される０次光、±１次光の光量について説明する。図１０（ａ）は本実施の形態１の格子深さと０次光、±１次光の回折効率の関係を示す図、図１０（ｂ）は本実施の形態１の格子深さと０次光と±１次光の光量比の関係を示す図である。また、図１１（ａ）は図１０（ａ）の格子深さを拡大した図、図１１（ｂ）は図１０（ｂ）の格子深さを拡大した図である。一般に屈折率ｎ、格子深さｄの回折格子２ａを通過する波長λの光の位相差ψは、ψ＝｛（ｎ−１）×ｄ｝／λで表すことができる。位相差ψが０．５の偶数倍の場合、回折は０％であり、０次光の光量が最大となる。逆に位相差ψが０．５の奇数倍の場合、回折は１００％であり、±１次光の光量が最大となる。これを基板２ｂとしてのＢＫ７の屈折率を１．５１、ＤＶＤ用のレーザ光の波長を６５０ｎｍ、ＣＤ用のレーザ光の波長を７８０ｎｍとしてグラフにしたものが、図１０（ａ）及び図１１（ａ）である。図１０（ａ）及び図１１（ａ）においてη１０はＤＶＤ用の０次光の回折効率、η１１はＤＶＤ用の＋１次光または−１次光の一方の回折効率、η２０はＣＤ用の０次光の回折効率、η２１はＣＤ用の＋１次光または−１次光の一方の回折効率である。一般に本実施の形態１の回折格子２ａの＋１次光と−１次光の回折効率は同じである。η１０はＤＶＤ用の０次光の光量Ｉ１０に比例し、η１１はＤＶＤ用の＋１次光または−１次光の一方の光量Ｉ１１に比例し、η２０はＣＤ用の０次光の光量Ｉ２０に比例し、η２１はＣＤ用の＋１次光または−１次光の一方の光量Ｉ２１に比例する。ＤＶＤ用のレーザ光もＣＤ用のレーザ光も０次光の回折効率と＋１次光または−１次光の一方の回折効率とは格子深さｄに対して逆の傾向を示す。また、ＤＶＤ用のレーザ光の方が波長が短い分ＣＤ用のレーザ光よりも短い周期で増減を繰り返す。
【００７３】
図１０（ａ）及び図１１（ａ）の結果を基に０次光と±１次光の光量比を求めたのが図１０（ｂ）及び図１１（ｂ）であり、Ｉ１０／Ｉ１１はＤＶＤ用のレーザ光の０次光と＋１次光または−１次光の一方との光量比であり、回折効率比η１０／η１１と同じである。また、Ｉ２０／Ｉ２１はＣＤ用のレーザ光の０次光と＋１次光または−１次光の一方とのＣＤ用のレーザ光の光量比であり、回折効率比η２０／η２１と同じである。ＤＶＤ１８の場合、０次光と＋１次光または−１次光の一方との光量比Ｉ１０／Ｉ１１は１０以上２０以下であると、トラッキング制御を行うことが容易にできる。また、ＣＤ１９の場合、０次光と±１次光との光量比Ｉ２０／Ｉ２１は１５以上３０以下であると、トラッキング制御を行うことが容易にできる。図１０（ｂ）及び図１１（ｂ）より、屈折率ｎが１．５１のＢＫ７を用いた場合、格子深さｄを１４０ｎｍ以上１９０ｎｍ以下とすると上記光量比を満たすことができる。すなわち、回折格子２ａはＤＶＤ用のレーザ光を回折してトラッキング制御に用いることができる光を生成することができ、且つＣＤ用のレーザ光を回折してトラッキング制御に用いることができる光を生成することができる。また、その中で光量比Ｉ１０／Ｉ１１が１２．５以上１７．５以下、光量比Ｉ２０／Ｉ２１が２０以上２５以下であると、トラッキング制御はさらに容易となり、好ましい。その場合、格子深さｄは１５０ｎｍ以上１７０ｎｍ以下となる。
【００７４】
次に、トラッキング制御用信号、フォーカス制御用信号の演算について説明する。図７において、受光部Ａ、Ｂ、Ｃ、Ｄ、Ｅ、Ｆ、Ｇ、Ｈ、Ｉ、Ｊ、Ｋ、Ｌに入射し変換されたＤＶＤ用の電気信号をＡ、Ｂ、Ｃ、Ｄ、Ｅ、Ｆ、Ｇ、Ｈ、Ｉ、Ｊ、Ｋ、Ｌとする。受光部ａ、ｂ、ｃ、ｄ、ｅ、ｆ、ｇ、ｈに入射し変換されたＣＤ用の電気信号をａ、ｂ、ｃ、ｄ、ｅ、ｆ、ｇ、ｈとする。ＤＶＤ用のトラッキングエラー信号ＴＥＳは、ＤＶＤ−ＲＯＭ：ＴＥＳ＝ｐｈ（Ａ，Ｄ）−ｐｈ（Ｂ，Ｃ）、ＤＶＤ±Ｒ／ＲＷ、−ＲＡＭ：ＴＥＳ＝｛（Ａ＋Ｂ）−（Ｃ＋Ｄ）｝−Ｋｔ×｛（Ｅ＋Ｉ＋Ｆ＋Ｊ）−（Ｇ＋Ｋ＋Ｈ＋Ｌ）｝である。ここで、ｐｈ（Ｘ，Ｙ）は検出したＸ，Ｙの位相差を変換した電圧、Ｋｔは動作設定に応じて定まる定数である。ＤＶＤ±Ｒ／ＲＷ、−ＲＡＭのトラッキングエラー信号ＴＥＳが３ビーム差動プッシュプル法によるトラッキング制御用信号である。すなわち、第１のＤＶＤ１８ａ、第２のＤＶＤ１８ｂについて、３ビーム差動プッシュプル法によるトラッキング制御法を用いることができる。ＤＶＤ−ＲＯＭのトラッキングエラー信号ＴＥＳは位相差法と呼ばれる方法によるトラッキング制御信号である。
【００７５】
ＤＶＤ用のフォーカスエラー信号ＦＥＳは、ＤＶＤ−ＲＯＭ、ＤＶＤ±Ｒ／ＲＷ：ＦＥＳ＝（Ａ＋Ｃ）−（Ｂ＋Ｄ）、ＤＶＤ−ＲＡＭ：ＦＥＳ＝｛（Ａ＋Ｃ）−（Ｂ＋Ｄ）｝＋Ｋｔ×｛（Ｅ＋Ｉ＋Ｇ＋Ｋ）−（Ｈ＋Ｌ＋Ｆ＋Ｊ）｝である。
【００７６】
ＣＤ用のトラッキングエラー信号ＴＥＳは、ＣＤ−Ｒ／ＲＷ／ＲＯＭ：ＴＥＳ＝｛（ａ＋ｂ）−（ｃ＋ｄ）｝−Ｋｔ×｛（ｅ＋ｆ）−（ｇ＋ｈ）｝、ＣＤ−ＲＯＭ：ｐｈ（ａ，ｄ）−ｐｈ（ｂ，ｃ）である。ＣＤ−Ｒ／ＲＷ／ＲＯＭのトラッキングエラー信号ＴＥＳが３ビーム差動プッシュプル法によるトラッキング制御用信号である。また、ＣＤ−ＲＯＭのトラッキングエラー信号ＴＥＳが位相差法と呼ばれるトラッキング制御用信号である。通常はより安定してトラッキング制御することができる３ビーム差動プッシュプル法が用いられる。しかし例えば、ＣＤ−ＲＯＭのピットの高さが規格に入っていないような粗悪ディスクを再生するような場合、３ビーム差動プッシュプル法ではトラッキングエラー信号ＴＥＳがうまく出力されない場合がある。そのような場合でも位相差法ではトラッキングエラー信号ＴＥＳがうまく出力できるため、予備のトラッキング制御法として用いることができる。このようにトラッキング制御しきれない規格から外れているような粗悪なＣＤ１９を再生するような場合でもトラッキング制御することができるので、光ディスク装置としてより幅広いＣＤ１９に対応することができる。
【００７７】
ＣＤ用のフォーカスエラー信号ＦＥＳは、ＣＤ−Ｒ／ＲＷ／ＲＯＭ：ＦＥＳ＝（ａ＋ｃ）−（ｂ＋ｄ）である。
【００７８】
以上のように、本実施の形態１の回折格子２ａで０次光、±１次光に回折されたＤＶＤ用のレーザ光及びＣＤ用のレーザ光は本実施の形態１の受光器１０の受光素子１０ａの受光部１０ｂに入射する。そして、好適なトラッキングエラー信号ＴＥＳ、フォーカスエラー信号ＦＥＳに変換される。
【００７９】
次に光ピックアップ装置１７の全体の構成と製造方法について説明する。図１２は本実施の形態１の基台の斜視図である。基台１２はＺｎ合金、Ｍｇ合金等の合金材料あるいは硬質樹脂材料等で形成される。本実施の形態１では薄型に対応する光ピックアップ装置１７であり、基台１２も薄くした。基台１２には、薄くしても剛性が確保しやすい合金材料を使用することが望ましい。
【００８０】
基台１２は光ディスク装置のガイド軸に取り付けられるための軸受部１２ａ、１２ｂを有する。また、基台１２は大きな開口であるレーザモジュール取り付け部１２ｃと対物レンズ駆動装置取り付け部１２ｄとを隣接して備える。レーザモジュール取り付け部１２ｃにはレーザモジュール１４が、対物レンズ駆動装置取り付け部１２ｄには対物レンズ駆動装置１６が取り付けられる。レーザモジュール取り付け部１２ｃの開口の外側部分にレーザモジュール１４を取り付けるための基準面１２ｅを設けた。また、各光学部品を位置、角度精度良く取り付けられるように、基準面１２ｅを基準に第２受光器取り付け部１２ｆ、反射ミラー取り付け部１２ｇ、コリメートレンズ取り付け部１２ｈ、１／４波長板取り付け部１２ｉ、立ち上げプリズム取り付け部１２ｊが設けられている。
【００８１】
図１３（ａ）は本実施の形態１の結合部材の上面側の斜視図、図１３（ｂ）は下面側の斜視図である。結合部材１３は略左右対称の腕部１３ｂの間に環状部１３ａを設けた形状をしている。腕部１３ｂは環状部１３ａの中央部からずれた位置にある。結合部材１３は、比較的軽量で、高精度の形状加工性、放熱性等を兼ね備えた材料で形成させることが好ましく、例えば、Ｚｎ、Ｚｎ合金、Ａｌ、Ａｌ合金、Ｔｉ、Ｔｉ合金などが好適に用いられる。本実施の形態１では、コスト面などを考慮し、Ｚｎダイキャストで結合部材１３を構成した。
【００８２】
左右の腕部１３ｂには基準面１３ｃと先端部にＶ溝１３ｄを設けた。基準面１３ｃとＶ溝１３ｄはレーザモジュール１４を組み立てたり、レーザモジュール１４を基台１２に取り付けたりする際の基準となる。環状部１３ａの面は基準面１３ｃに対し略直角な方向であり、基準面１３ｃは環状部１３ａの中央部に近い側の腕部１３ｂの面とした。また、環状部１３ａの面はＶ溝１３ｄの軸と平行でもある。
【００８３】
両方の腕部１３ｂ及び腕部１３ｂに連なる環状部１３ａの下面側にレーザ光源１のプレート１ｃを固定するための当て面１３ｆを設けた。それぞれの当て面１３ｆには溝１３ｋ及び溝１３ｋに連続して凹部１３ｌを設けた。凹部１３ｌにプレート１ｃを固定するためのクリーム半田を配置し、溝１３ｋを経由してプレート１ｃに流してプレート１ｃと結合部材１３の当て面１３ｆとを固定する。本実施の形態１において凹部１３ｌは腕部１３ｂ側、溝１３ｋは環状部１３ａ側に配置した。
【００８４】
環状部１３ａの空間部１３ｅにレーザ光源１の主要部分が収容される。環状部１３ａの一部として、腕部１３ｂの間を直接連結して結合部材１３の強度を確保した。この連結部分にはレーザ光源１のリード１ｄが配置される。リード１ｄは厚さが薄いのでこの連結部分とは干渉しない。
【００８５】
一方、環状部１３ａの腕部１３ｂと反対側の側面に貫通孔１３ｇを設け、環状部１３ａの外側の側面部における貫通孔１３ｇ周囲には凸部１３ｈを設けた。凸部１３ｈの表面は基準面１３ｃと平行とした。凸部１３ｈに回折素子２が固定される。貫通孔１３ｇを通ってレーザ光源１から出射されたレーザ光が回折素子２に入射する。また、凸部１３ｈの下面側から腕部１３ｂとは反対側に伸びる壁部１３ｍを設け、壁部１３ｍには貫通孔１３ｎを設けた。貫通孔１３ｎは回折素子２を配置して位置調整、角度調整を行う回折素子組み立て装置の回折素子保持部材を挿入するための孔である。
【００８６】
凸部１３ｈの両側部に凸部１３ｉを設けた。凸部１３ｉの表面が作り出す平面は基準面１３ｃと平行であり、凸部１３ｈよりも基準面１３ｃから遠い位置にある。凸部１３ｉにビームスプリッタ３が配置される。ビームスプリッタ３は壁部１３ｍで固定される。また、凸部１３ｈ、凸部１３ｉの一方の側部の環状部１３ａである壁部１３ｍを延長してコの字状の当て面１３ｊを設けた。当て面１３ｊは基準面１３ｃに直角かつ両側のＶ溝１３ｄの軸を結んでできる平面に直角な方向に形成される。当て面１３ｊには受光器１０が固定される。当て面１３ｊのコの字状の中央部に受光器１０の受光素子１０ａが配置される。
【００８７】
図１４は本実施の形態１のレーザモジュールの構成図である。レーザモジュール１４は結合部材１３にレーザ光源１、回折素子２、ビームスプリッタ３、検出レンズ９、受光器１０を一体のユニットとして保持して構成される。レーザ光源１はプレート１ｃが当て面１３ｆに固定される。固定は溶着や接着剤による接着などで行われる。クリーム半田等の金属を用いて溶着すると、熱伝導性が大きいのでレーザ光源１で発生した熱を結合部材１３に容易に逃がすことができ好ましい。接着剤は熱硬化型接着剤、嫌気性接着剤等が用いられる。固定する際、プレート１ｃと当て面１３ｆの面内方向におけるＸ方向、Ｚ方向の位置調整及びθｙ方向の角度調整を行う。広い面積のプレート１ｃを結合部材１３に固定するため、良好で安定した組み立て精度を実現できる。
【００８８】
回折素子２は凸部１３ｈに接着で固定される。ビームスプリッタ３は凸部１３ｉに接着で固定される。回折素子２及びビームスプリッタ３の接着には紫外線硬化型接着剤、熱硬化型接着剤、嫌気性接着剤等の接着剤が用いられる。回折素子２はＸ方向、Ｙ方向の位置調整及びθｚ方向の角度調整を行う。Ｘ方向、Ｙ方向の調整は組み立て装置が回折素子２を結合部材１３に最初に配置する精度が良ければ、行わなくても構わないが、Ｙ方向の位置調整は行うことが好ましい。ＤＶＤ用のレーザ光及びＣＤ用のレーザ光を順番に、あるいは同時に発光させて、ＤＶＤ用の０次光とＣＤ用の０次光を結ぶ直線とＤＶＤ用またはＣＤ用のいずれか一方の±１次光を結ぶ直線が所定の角度になるように回折素子２をθｚ方向に回転させて調整する。この調整はＤＶＤ用のレーザ光の発光位置とＣＤ用のレーザ光の発光位置が並ぶ向きと回折素子２の回折格子２ａが並ぶ向きを調整するものであり、この調整を行うことによりＤＶＤ用のレーザ光とＣＤ用のレーザ光を受光器１０の所定の光検出部１０ｂにそれぞれ入射させることができる。ビームスプリッタ３はＸ方向の位置調整を行う。また、Ｚ方向の調整を行っても良い。
【００８９】
検出レンズ９は予め受光器１０に固定された検出レンズホルダ９ａに固定される。検出レンズ９を検出レンズホルダ９ａに当て付け、検出レンズ９と受光器１０の受光素子１０ａとのＹ方向とＺ方向の位置調整及びθｘ方向の角度調整を行う。また、検出レンズ９と受光器１０を取り付けた検出レンズホルダ９ａが結合部材１３の当て面１３ｊに固定される。結合部材１３に対してＸ方向とＹ方向とＺ方向の位置調整とθｘ方向とθｙ方向とθｚ方向の角度調整を行う。受光器１０と検出レンズホルダ９ａとの固定、検出レンズホルダ９ａと検出レンズ９との固定、検出レンズホルダ９ａと結合部材１３との固定には、それぞれ紫外線硬化型接着剤、熱硬化型接着剤、嫌気性接着剤等の接着剤が用いられる。
【００９０】
薄型の光ピックアップ装置１７に対応するため結合部材１３の厚さも薄い。しかし、結合部材１３に固定される各光学部品間の距離は小さくすることができている。仮にレーザモジュール１４の各光学部品を結合部材１３ではなく基台１２に固定することを想定する。基台１２の厚さは薄いため、温度や経時変化等のストレスにより変形がしやすい傾向がある。そのため各光学部品間の位置ずれや角度ずれが発生してしまうことがある。しかし、結合部材１３は小型であるので、温度や経時変化等のストレスによる変形がしにくい。すなわち、レーザ光を出射するレーザ光源１と、トラッキング制御用の光を生成する回折格子２ａを備える回折素子２と、往きの光と帰りの光を分離するビームスプリッタ３と、フォーカス制御用の光を生成する検出レンズ９と、レーザ光を受光する受光器１０と、を一体のユニットとして小型の結合部材１３に固定することで、各光学部品間の位置ずれや角度ずれを発生しにくくする効果が得られる。そのため、安定した高品位な記録再生の特性が得られる。また、光ピックアップ装置の薄型化を図ることができる。
【００９１】
本実施の形態１において対物レンズ駆動装置１６は、対物レンズ８を固定したレンズホルダ１５が装置本体に支持部材で弾性支持されている。レンズホルダ１５にはフォーカスコイル、トラッキングコイルが固定されている。また、装置本体には磁石が固定されている。対物レンズ駆動装置１６は、フォーカスコイルまたはトラッキングコイルに電流を流すことで磁石との間に電磁力を発生させ、レンズホルダ１５に搭載された対物レンズ８をフォーカス方向またはトラッキング方向に移動させる。フォーカスコイルまたはトラッキングコイルに流す駆動電流は、受光器１０に入射したレーザ光の光量を変換し出力した電気信号から生成されたフォーカスエラー信号ＦＥＳまたはトラッキングエラー信号ＴＥＳを基に制御される。
【００９２】
図２に示すように、本実施の形態１の光ピックアップ装置１７は各種部品が基台１２に直接または他の部品を介して取り付けられて構成される。レーザモジュール１４は結合部材１３の基準面１３ｃが基台１２の基準面１２ｅに固定される。レーザモジュール１４の主要部はレーザモジュール取り付け部１２ｃに収容される。レーザモジュール１４は基準面１３ｃと基準面１２ｅの面内で位置調整と角度調整が行われる。固定には紫外線硬化型接着剤、熱硬化型接着剤、嫌気性接着剤等の接着剤が用いられる。
【００９３】
対物レンズ８を搭載した対物レンズ駆動装置１６の装置本体が基台１２に固定される。対物レンズ駆動装置１６は基台１２の対物レンズ駆動装置取り付け部１２ｄに収容される。対物レンズ駆動装置１６が基台１２に固定される際、対物レンズ８の位置調整、角度調整が行われる。固定には紫外線硬化型接着剤、熱硬化型接着剤、嫌気性接着剤等の接着剤が用いられる。また、反射ミラー４は基台１２の反射ミラー取り付け部１２ｇに、コリメートレンズ５はコリメートレンズ取り付け部１２ｈに、１／４波長板６は１／４波長板取り付け部１２ｉに、立ち上げプリズム７は立ち上げプリズム取り付け部１２ｊに、第２受光器１１は第２受光器取り付け部１２ｆにそれぞれ直接固定される。固定には紫外線硬化型接着剤、熱硬化型接着剤、嫌気性接着剤等の接着剤が用いられる。コリメートレンズ５は移動可能なまま板バネ等を用いて留めても良い。
【００９４】
光ピックアップ装置１７を組み立てるには、まず、反射ミラー４、１／４波長板６、立ち上げプリズム７をそれぞれ基台１２の反射ミラー取り付け部１２ｇ、１／４波長板取り付け部１２ｉ、立ち上げプリズム取り付け部１２ｊに当て決めまたは位置や角度の微調整を行って固定する。また、コリメートレンズ５を基台１２に取り付ける。コリメートレンズ５は光軸方向に移動可能に取り付けられる。次にレーザモジュール１４を基台１２に取り付ける。そして結合部材１３の基準面１３ｃを基台１２の基準面１２ｅに密着させてＸ方向、Ｙ方向の位置調整とθｚ方向の角度調整を行う。レーザ光を発光させ、コリメートレンズ５の中心を通るようにＸ方向とＹ方向の位置調整を行う。また、ＤＶＤ１８及びＣＤ１９のトラックに対して所定の角度φで０次光と±１次光とが入射するようにθｚ方向の角度調整を行う。そしてレーザモジュール１４を基台１２に固定する。次に対物レンズ駆動装置１６を基台１２の対物レンズ駆動装置取り付け部１２ｄに取り付ける。レーザ光を発光して対物レンズ８のθｘ方向とθｙ方向の角度調整を対物レンズ駆動装置１６全体を動かして行う。次に対物レンズ８のＸ方向とＹ方向の位置調整をレーザ光が対物レンズ８の中心を通るように対物レンズ駆動装置１６全体を動かして行い、対物レンズ駆動装置１６を基台１２に固定する。次にコリメートレンズ５を光軸方向（Ｘ方向）の位置調整を行う。また、第２受光器１１は別途基台１２の第２受光器取り付け部１２ｆに固定される。
【００９５】
なお、レーザモジュール１４は結合部材１３の所定の位置に第２受光器１１を取り付けるための当て面を形成し、この当て面に第２受光器１１を固定しても良い。ビームスプリッタ３からの距離を短くできるのでビームスプリッタ３から出射した光を全て第２受光器１１に入射させることができ、迷光の発生を抑えることができる。また、ビームスプリッタ３からの距離を短くできるので、その分光ピックアップ装置１７を小型にすることもできる。基台１２に設けた第２受光器取り付け部１２ｆは省略することができる。
【００９６】
また、本実施の形態１において、回折格子２ａは回折素子２の一部として基板２ｂの表面に設けたが、ビームスプリッタ３のレーザ光源１に対向する面に設けても構わない。そうすることで、回折素子２を無くすことができるので、部品点数を減らして、さらに光ピックアップ装置１７を安価にすることができる。また、回折素子２を無くした分だけ光ピックアップ装置１７を小型にすることができる。
【００９７】
次に光路について説明する。図１において、ＤＶＤ用のレーザ光及びＣＤ用のレーザ光はレーザ光源１からそれぞれＤＶＤ１８、ＣＤ１９に向けて出射される。レーザ光源１から出射したＤＶＤ用のレーザ光及びＣＤ用のレーザ光は回折素子２に入射する。回折素子２の回折格子２ａはＤＶＤ用のレーザ光及びＣＤ用のレーザ光を回折してトラッキング制御に用いられる０次光と±１次光とを生成する。次にＤＶＤ用のレーザ光とＣＤ用のレーザ光はビームスプリッタ３に入射し、大半はそのままＤＶＤ１８、ＣＤ１９に向けて出射する。一部の光は斜面３ａの偏光分離膜３ｂで反射して、第２受光器１１に入射し電気信号に変換される。変換され第２受光器１１から出力された電気信号はレーザ光源１から出射するレーザ光の光量制御に用いられる。ビームスプリッタ３からＤＶＤ１８、ＣＤ１９に向けて出射したＤＶＤ用のレーザ光及びＣＤ用のレーザ光は反射ミラー４で反射し、光路を折り曲げてコリメートレンズ５に入射する。それまで発散光であったＤＶＤ用のレーザ光及びＣＤ用のレーザ光はコリメートレンズ５で略平行光に変換されて１／４波長板６に入射する。１／４波長板６でＤＶＤ用のレーザ光はＰ偏光から円偏光に変換される。ＣＤ用のレーザ光はＰ偏光のまま１／４波長板６を透過する。ＤＶＤ用のレーザ光とＣＤ用のレーザ光は立ち上げプリズム７に入射し、内部で２度反射してからＤＶＤ１８、ＣＤ１９に対して直角な方向に出射する。また、その際、立ち上げプリズム７に入射するＤＶＤ１８、ＣＤ１９に対し直角な方向の光束の幅が広げられて立ち上げプリズム７から出射する。立ち上げプリズム７から出射したＤＶＤ用のレーザ光及びＣＤ用のレーザ光は対物レンズ８に入射し、集束光に変換されてそれぞれＤＶＤ１８、ＣＤ１９の情報記録面で焦点を結ぶ。
【００９８】
ＤＶＤ１８、ＣＤ１９で反射したＤＶＤ用のレーザ光及びＣＤ用のレーザ光は対物レンズ８で平行光に変換され、立ち上げプリズム７に入射し、ＤＶＤ１８、ＣＤ１９に対してほぼ平行な方向に変換される。１／４波長板６にてＤＶＤ用のレーザ光は円偏光からＳ偏光に変換される。ＣＤ用のレーザ光はＰ偏光のまま１／４波長板６を透過する。平行光であったＤＶＤ用のレーザ光、ＣＤ用のレーザ光はコリメートレンズ５で集束光に変換され、反射ミラー４で反射してビームスプリッタ３に入射する。ビームスプリッタ３の斜面３ａの偏光分離膜３ｂでそれぞれの反射率で反射したＤＶＤ用のレーザ光、ＣＤ用のレーザ光は検出レンズ９に入射する。検出レンズ９は光軸を含んで直交する二つの断面で焦点位置が異なり、フォーカス制御に用いられるＤＶＤ用のレーザ光及びＣＤ用のレーザ光を生成する。検出レンズ９から出射したＤＶＤ用のレーザ光及びＣＤ用のレーザ光は受光器１０に入射する。受光器１０は受光素子１０ａの受光部１０ｂでＤＶＤ用のレーザ光及びＣＤ用のレーザ光を受光して、受光した光量を電気信号に変換し出力する。出力された電気信号はトラッキングエラー信号ＴＥＳ、フォーカスエラー信号ＦＥＳに演算されて対物レンズ８のトラッキング制御、フォーカス制御に使われる。
【００９９】
なお、レーザ光源１は高出力での発光を続けると温度が上昇してくる。温度の上昇に伴い、Ｐ偏光のみであったレーザ光源１から出射するレーザ光の偏光面が回転し、Ｓ偏光成分を有するようになる。その結果、第２受光器１１に入射する光量が変動してしまうことがある。第２受光器１１に入射するＳ偏光成分を除去することは、その現象を抑制するための一つの有効な手段である。そのためにビームスプリッタ３と第２受光器１１との間に偏光フィルムを配置したり、内部の斜面にＰ偏光を透過しＳ偏光を反射する偏光分離膜を形成したプリズムを配置したりしても良い。
【０１００】
本実施の形態１の光ピックアップ装置１７は、回折格子２ａをＤＶＤ用とＣＤ用とで共用し、０次光が入射するトラックに対し、第１のＤＶＤ１８ａにおいては２つ離れたトラックと３つ離れたトラックとの中間に、第２のＤＶＤ１８ｂ及びＣＤ１９においては１つ離れたトラックと２つ離れたトラックとの中間に、±１次光が０次光を中心に略点対称に入射するような回折格子２ａの格子間隔ｐと格子方向θとの組み合わせを有している。回折格子２ａで回折されたレーザ光の０次光と±１次光との距離は波長に比例するのでＣＤ用のレーザ光の方が１．２倍ほどＤＶＤ用のレーザ光よりも距離が長くなる。０次光と±１次光とのＤＶＤ１８上における半径方向の距離を約１．８５μｍとすると、ＣＤ１９上における半径方向の距離は約２．２２μｍとなる。この距離は、第１のＤＶＤ１８ａでは約２．５トラックピッチ、第２のＤＶＤ１８ｂでは約１．５トラックピッチに相当し、ＣＤ１９では約１．３９トラックピッチまたは約１．４９トラックピッチに相当する。０．５の奇数倍のトラックピッチに近いとトラッキング制御法の一つである３ビーム差動プッシュプル法を採用することができる。そのため、ＤＶＤ１８に対してもＣＤ１９に対しても適切なトラッキング制御を行うことができる。そのため、安価な回折素子２を用いても十分な特性でＤＶＤ１８及びＣＤ１９に対して情報の記録または再生の少なくとも一方を行うことができる。
【０１０１】
（実施の形態２）
本実施の形態２について、図面を参照しながら説明する。図１５は本実施の形態２の光ピックアップ装置の光学系の構成図である。本実施の形態２の光ピックアップ装置は実施の形態１の光ピックアップ装置の検出レンズ９とビームスプリッタ３を廃止し、その替わりに集積プリズム２４を配置した構成である。検出レンズ９とビームスプリッタ３以外の構成は実施の形態１と同じであるので、実施の形態１の説明を援用する。
【０１０２】
図１６は本実施の形態２の集積プリズムの構成図である。集積プリズム２４はＤＶＤ１８で反射されたＤＶＤ用のレーザ光及びＣＤ１９で反射されたＣＤ用のレーザ光を受光器１０に向かわせる光学素子であり、受光器１０に向かうＤＶＤ用のレーザ光及びＣＤ用のレーザ光に焦点誤差を与える焦点誤差生成素子を備える。集積プリズム２４は光学ガラス等で形成され、内部に斜面２４ａ、２４ｂを備える。斜面２４ａには偏光分離膜２４ｃと全反射膜２４ｆが形成されている。偏光分離膜２４ｃは多層の誘電体膜で構成されている。偏光分離膜２４ｃはレーザ光源１から出射されたＤＶＤ用のレーザ光及びＣＤ用のレーザ光がＤＶＤ１８、ＣＤ１９に向かう光路を横断するように配置される。偏光分離膜２４ｃはレーザ光源１から出射され、Ｐ偏光であるＤＶＤ用のレーザ光及びＣＤ用のレーザ光の大半を透過し、一部を反射する。本実施の形態２では約８５％が透過するものとした。透過した光はＤＶＤ１８、ＣＤ１９に向かい、反射した光は第２受光器１１に向かう。また、偏光分離膜２４ｃはＤＶＤ１８で反射されＳ偏光に変換されたＤＶＤ用のレーザ光の９５％以上を反射する。また、ＣＤ１９で反射されたＰ偏光のままのＣＤ用のレーザ光の１５％程度を反射する。全反射膜２４ｆは金属膜または多層の誘電体膜で構成される。全反射膜２４ｆは反射ミラー２４ｄで反射したＤＶＤ用のレーザ光、ＣＤ用のレーザ光が受光器１０に向かう光路に形成される。
【０１０３】
集積プリズム２４が備える斜面２４ｂには回折型の反射ミラー２４ｄが形成される。反射ミラー２４は斜面２４ｂに形成した平行に多数配列された凹凸に全反射膜２４ｅを形成した回折格子である。全反射膜２４ｅは金属膜または多層の誘電体膜で構成される。回折格子は凹凸の長さ方向と直角な方向に回折光を出射する。凹凸をカーブさせることで、回折格子面内の回折光の出射方向を変えることができる。また、凹凸の配列の間隔が広いほど回折格子面の法線方向に近い方向に出射される。このことにより回折光の出射方向を制御することができることを利用して、反射ミラー２４ｄは光軸を含んで直交する二つの断面で焦点距離が異なるように構成される。したがって、反射ミラー２４ｄは受光器１０に向かうＤＶＤ用のレーザ光及びＣＤ用のレーザ光に焦点誤差を与える焦点誤差生成素子である。
【０１０４】
光路について説明する。レーザ光源１から出射したＤＶＤ用のレーザ光及びＣＤ用のレーザ光は回折素子２の回折格子２ａで０次光、±１次光に回折されて集積プリズム２４に入射する。斜面２４ａの偏光分離膜２４ｂで第２受光器１１に向けて反射される一部を除いて大半のＤＶＤ用のレーザ光及びＣＤ用のレーザ光は透過してＤＶＤ１８、ＣＤ１９に向かう。ＤＶＤ用のレーザ光、ＣＤ用のレーザ光は、反射ミラー４、コリメートレンズ５、１／４波長板６、立ち上げプリズム７、対物レンズ８を通過してＤＶＤ１８、ＣＤ１９に到達する。ＤＶＤ用のレーザ光、ＣＤ用のレーザ光は、ＤＶＤ１８、ＣＤ１９で反射されて、対物レンズ８、立ち上げプリズム７、１／４波長板６、コリメートレンズ５、反射ミラーを通過して集積プリズム２４に入射する。反射ミラー４からＤＶＤ１８、ＣＤ１９に至り、反射ミラー４に戻るまでは実施の形態１の説明と同じである。集積プリズム２４に入射したＤＶＤ用のレーザ光及びＣＤ用のレーザ光は斜面２４ａの偏光分離膜２４ｃで反射され、斜面２４ｂの回折型の反射ミラー２４ｄに向かう。反射ミラー２４ｄで焦点誤差を与えられたＤＶＤ用のレーザ光及びＣＤ用のレーザ光は、反射して斜面２４ａの全反射膜２４ｆに入射し、さらに反射して受光器１０に向かう。受光器１０の受光素子１０ａの受光部１０ｂに入射したＤＶＤ用のレーザ光及びＣＤ用のレーザ光はそれぞれ電気信号に変換され、出力されて、実施の形態１と同様にトラッキング制御、フォーカス制御に用いられる。
【０１０５】
本実施の形態２の光ピックアップ装置は、回折格子２ａをＤＶＤ用とＣＤ用とで共用し、トラッキング制御法の一つである３ビーム差動プッシュプル法を採用することができる。そのため、ＤＶＤ１８に対してもＣＤ１９に対しても適切なトラッキング制御を行うことができる。そのため、安価な回折素子２を用いても十分な特性でＤＶＤ１８及びＣＤ１９に対して情報の記録または再生の少なくとも一方を行うことができる。さらに、反射ミラー２４ｄを集積プリズム２４の内部の斜面２４ｂに形成することにより、検出レンズ９を配置する必要がなくなる。そのため、光ピックアップ装置１７をより小型にすることができる。
【０１０６】
なお、以下のような構成としても良い。１／４波長板６の働きを、レーザ光源１から出射されたＤＶＤ用のレーザ光、ＣＤ用のレーザ光をＰ偏光から円偏光に変換し、ＤＶＤ１８、ＣＤ１９で反射されたＤＶＤ用のレーザ光、ＣＤ用のレーザ光を円偏光からＳ偏光に変換するように変更する。また、集積プリズム２４の斜面２４ａの全反射膜２４ｆを廃止して、全面を偏光分離膜２４ｃとする。そして、偏光分離膜２４ｃの特性をＤＶＤ用のレーザ光、ＣＤ用のレーザ光ともＰ偏光の大半を透過し、Ｓ偏光の大半を反射するように変換する。この場合でも、回折格子２ａをＤＶＤ用とＣＤ用とで共用し、トラッキング制御法の一つである３ビーム差動プッシュプル法を採用することができる。そのため、ＤＶＤ１８に対してもＣＤ１９に対しても適切なトラッキング制御を行うことができる。そのため、安価な回折素子２を用いても十分な特性でＤＶＤ１８及びＣＤ１９に対して情報の記録または再生の少なくとも一方を行うことができる。さらに、反射ミラー２４ｄを集積プリズム２４の内部の斜面２４ｂに形成することにより、検出レンズ９を配置する必要がなくなる。そのため、光ピックアップ装置をより小型にすることができる。
【０１０７】
（実施の形態３）
本実施の形態３について図面を参照しながら説明する。図１７（ａ）は本実施の形態３の光ピックアップモジュールの上面構成図、図１７（ｂ）は下面構成図、図１８は本実施の形態３の光ディスク装置の構成図である。本実施の形態３は実施の形態１または実施の形態２の光ピックアップ装置３０を備えた光ディスク装置である。
【０１０８】
図１７において、ＤＶＤ１８やＣＤ１９を回転駆動する回転駆動部及び光ピックアップ装置３０を回転駆動部に対して近づけたり離したりする移動部を備える光ディスク装置４７の駆動機構を光ピックアップモジュール４０という。ベース３１は光ピックアップモジュール４０の骨組みを成すもので、光ピックアップモジュール４０はベース３１に直接的、間接的に各構成部品が配置されて構成される。
【０１０９】
回転駆動部はＤＶＤ１８やＣＤ１９を載置するターンテーブル３２ａを有するスピンドルモータ３２を備えている。スピンドルモータ３２はベース３１に固定される。スピンドルモータ３２はＤＶＤ１８やＣＤ１９を回転させる回転駆動力を生成する。
【０１１０】
移動部はフィードモータ３３、スクリューシャフト３４、ガイド軸３５、３６を備えている。フィードモータ３３はベース３１に固定される。フィードモータ３３は光ピックアップ装置３０がＤＶＤ１８やＣＤ１９の内周と外周の間を移動するために必要な回転駆動力を生成する。フィードモータ３３としてステッピングモータ、ＤＣモータなどが使用される。スクリューシャフト３４はらせん状に溝が掘られており、直接または数段のギアを介してフィードモータ３３に接続される。本実施の形態３ではギアを介してフィードモータ３３と接続される。ガイド軸３５、３６はそれぞれ両端で保持部材を介してベース３１に固定される。ガイド軸３５、３６は光ピックアップ装置３０を移動自在に支持する。光ピックアップ装置３０はスクリューシャフト３４の溝と噛み合うガイド歯を有するラック３７を備える。ラック３７がスクリューシャフト３４に伝達されたフィードモータ３３の回転駆動力を直線駆動力に変換するために光ピックアップ装置３０はＤＶＤ１８やＣＤ１９の内周と外周の間を移動することができる。
【０１１１】
なお、回転駆動部はＤＶＤ１８やＣＤ１９を所定の回転数で回転させることができる構成であれば、本実施の形態３で説明した構成に限るものではない。また移動部は光ピックアップ装置３０をＤＶＤ１８やＣＤ１９の内周と外周の間の所定の位置に移動させることができる構成であれば、本実施の形態３で説明した構成に限るものではない。
【０１１２】
光ピックアップ装置３０は実施の形態１または実施の形態２で説明した光ピックアップ装置の構成にカバー２９を取り付けたものである。光ピックアップ装置３０は、ＤＶＤ用とＣＤ用とで共用の回折格子２ａを用い、ＤＶＤ１８に対してもＣＤ１９に対しても適切なトラッキング制御を行うことができる。そのため、安価な回折素子２を用いても十分な特性でＤＶＤ１８及びＣＤ１９に対して情報の記録または再生の少なくとも一方を行うことができる。光ピックアップ装置３０の対物レンズ８から出射されるレーザ光がＤＶＤ１８やＣＤ１９に対し直角に入射するように、保持部材を構成する調整機構でガイド軸３５、３６の傾きを調整する。
【０１１３】
ＦＰＣ３８は光ピックアップ装置３０と光ディスク装置４７の本体とを電気的に接続する。ＦＰＣ３８は光ディスク装置４７の本体側から光ピックアップ装置３０に対し、電力を供給し、電気信号を送るための導電線であるとともに、光ピックアップ装置３０から光ディスク装置４７の本体側へ電気信号を送るための導電線でもある。
【０１１４】
カバー３９は開口を有し、光ピックアップ装置３０の対物レンズ８及びスピンドルモータ３２のターンテーブル３２ａを露出させる。さらに本実施の形態３の場合、フィードモータ３３、ガイド軸３６の部分も露出させて、カバー３９の厚さの分だけ光ピックアップモジュール４０の厚さが薄くなるようにしている。
【０１１５】
図１８において、筐体４１は上部筐体４１ａと下部筐体４１ｂを組み合わせてネジなどを用いて互いに固定して構成されている。トレイ４２は筐体４１に出没自在に設けられている。トレイ４２は光ピックアップモジュール４０を下面側から配置する。トレイ４２は開口を有し、対物レンズ８及びスピンドルモータ３２のターンテーブル３２ａ、カバー３９の少なくとも一部を露出させる。ベゼル４３はトレイ４２の前端面に設けられて、トレイ４２が筐体４１内に収納された時にトレイ４２の出没口を塞ぐように構成されている。ベゼル４３にはイジェクトスイッチ４４が設けられ、イジェクトスイッチ４４を押すことで、筐体４１とトレイ４２との係合が解除され、トレイ４２は筐体４１に対し出没が可能な状態となる。レール４５はそれぞれトレイ４２の両側部及び筐体４１の双方に摺動自在に取り付けられる。筐体４１内部やトレイ４２内部には図示していない回路基板があり、信号処理系のＩＣや電源回路などが搭載されている。外部コネクタ４６はコンピュータ等の電子機器に設けられた電源／信号ラインと接続される。そして、外部コネクタ４６を介して光ディスク装置４７内に電力を供給したり、あるいは外部からの電気信号を光ディスク装置４７内に導いたり、あるいは光ディスク装置４７で生成された電気信号を電子機器などに送出する。
【０１１６】
以上のように、本実施の形態３の光ディスク装置４７が搭載する光ピックアップ装置３０は、ＤＶＤ用とＣＤ用とで共用の回折格子２ａを用い、ＤＶＤ１８に対してもＣＤ１９に対しても適切なトラッキング制御を行うことができる。そのため、安価な回折素子２を用いても十分な特性でＤＶＤ１８及びＣＤ１９に対して情報の記録または再生の少なくとも一方を行うことができる。したがって、本実施の形態３の光ディスク装置４７は、十分な特性でＤＶＤ１８及びＣＤ１９に対して情報の記録または再生の少なくとも一方を行えるとともに、安価にすることができる。
【産業上の利用可能性】
【０１１７】
以上のように、本発明の光ピックアップ装置及び光ディスク装置は、安価な回折素子を用いても十分な特性でＤＶＤ及びＣＤに対して情報の記録または再生の少なくとも一方を行うことができる。そのため、特に安価にすることが求められるパーソナルコンピュータ、ノートブック型コンピュータ等の電子機器に好んで搭載される。
【図面の簡単な説明】
【０１１８】
【図１】本実施の形態１の光ピックアップ装置の光学系の構成図
【図２】本実施の形態１の光ピックアップ装置の構成図
【図３】本実施の形態１のレーザ光源の構成図
【図４】（ａ）本実施の形態１の回折格子の斜視構成図、（ｂ）平面Ａによる断面図、（ｃ）下面図
【図５】本実施の形態１のビームスプリッタの構成図
【図６】（ａ）本実施の形態１の検出レンズの働きを示す図、（ｂ）ＤＶＤ、ＣＤが近い場合の受光器の受光素子の受光部上の集光スポット形状を示す図、（ｃ）ＤＶＤ、ＣＤが遠い場合の受光器の受光素子の受光部上の集光スポット形状を示す図
【図７】本実施の形態１の受光器の受光素子の受光部の配置図
【図８】本実施の形態１の回折格子で回折されたレーザ光のＤＶＤ、ＣＤ上の配列を示す図
【図９】（ａ）本実施の形態１の第１のＤＶＤに入射したレーザ光の配列を示す図、（ｂ）第２のＤＶＤに入射したレーザ光の配列を示す図、（ｃ）７００ＭＢの容量のＣＤに入射したレーザ光の配列を示す図、（ｄ）６５０ＭＢの容量のＣＤに入射したレーザ光の配列を示す図
【図１０】（ａ）本実施の形態１の格子深さと０次光、±１次光の回折効率の関係を示す図、（ｂ）本実施の形態１の格子深さと０次光と±１次光の光量比の関係を示す図
【図１１】（ａ）図１０（ａ）の格子深さを拡大した図、（ｂ）図１０（ｂ）の格子深さを拡大した図
【図１２】本実施の形態１の基台の斜視図
【図１３】（ａ）本実施の形態１の結合部材の上面側の斜視図、（ｂ）下面側の斜視図
【図１４】本実施の形態１のレーザモジュールの構成図
【図１５】本実施の形態２の光ピックアップ装置の光学系の構成図
【図１６】本実施の形態２の集積プリズムの構成図
【図１７】（ａ）本実施の形態３の光ピックアップモジュールの上面構成図、（ｂ）下面構成図
【図１８】本実施の形態３の光ディスク装置の構成図
【図１９】従来の光ピックアップ装置の光学系の構成図
【図２０】（ａ）従来の回折素子の斜視図、（ｂ）平面Ａでの断面図、（ｃ）上面図、（ｄ）下面図
【図２１】（ａ）ＤＶＤ−Ｒ／ＲＷに入射したレーザ光の配列を示す図、（ｂ）ＣＤに入射したレーザ光の配列を示す図
【符号の説明】
【０１１９】
１    レーザ光源
１ａ    発光素子
１ｂ    サブマウント
１ｃ    プレート
１ｄ    リード
１ｅ    保護部材
２    回折素子
２ａ    回折格子
３    ビームスプリッタ
３ａ    斜面
３ｂ    偏光分離膜
４    反射ミラー
５    コリメートレンズ
６    １／４波長板
７    立ち上げプリズム
８    対物レンズ
９    検出レンズ
１０    受光器
１０ａ    受光素子
１０ｂ    受光部
１１    第２受光器
１２    基台
１２ａ、１２ｂ    軸受部
１２ｃ    レーザモジュール取り付け部
１２ｄ    対物レンズ駆動装置取り付け部
１２ｅ    基準面
１２ｆ    第２受光器取り付け部
１２ｇ    反射ミラー取り付け部
１２ｈ    コリメートレンズ取り付け部
１２ｉ    １／４波長板取り付け部
１２ｊ    立ち上げプリズム取り付け部
１３    結合部材
１３ａ    環状部
１３ｂ    腕部
１３ｃ    基準面
１３ｄ    Ｖ溝
１３ｅ    空間部
１３ｆ、１３ｊ    当て面
１３ｇ、１３ｎ    貫通孔
１３ｈ、１３ｉ    凸部
１３ｋ    溝
１３ｌ    凹部
１３ｍ    壁部
１４    レーザモジュール
１５    レンズホルダ
１６    対物レンズ駆動装置
１７    光ピックアップ装置
１８    ＤＶＤ
１８ａ    第１のＤＶＤ
１８ｂ    第２のＤＶＤ
１８ｃ、１８ｄ    トラック
１９    ＣＤ
１９ａ、１９ｂ    トラック
２０、２０ａ、２１、２１ａ    スポット
２２、２３    合焦位置
２４    集積プリズム
２４ａ、２４ｂ    斜面
２４ｃ    偏光分離膜
２４ｄ    反射ミラー
２４ｅ、２４ｆ    全反射膜
３０    光ピックアップ装置
３０ａ    カバー
３１    ベース
３２    スピンドルモータ
３２ａ    ターンテーブル
３３    フィードモータ
３４    スクリューシャフト
３５、３６    ガイド軸
３７    ラック
３８    ＦＰＣ
３９    カバー
４０    光ピックアップモジュール
４１    筐体
４１ａ    上部筐体
４１ｂ    下部筐体
４２    トレイ
４３    ベゼル
４４    イジェクトスイッチ
４５    レール
４６    外部コネクタ
４７    光ディスク装置
【図１】
2007334999.tif 000003
【図２】
2007334999.tif 000004
【図３】
2007334999.tif 000005
【図４】
2007334999.tif 000006
【図５】
2007334999.tif 000007
【図６】
2007334999.tif 000008
【図７】
2007334999.tif 000009
【図８】
2007334999.tif 000010
【図９】
2007334999.tif 000011
【図１０】
2007334999.tif 000012
【図１１】
2007334999.tif 000013
【図１２】
2007334999.tif 000014
【図１３】
2007334999.tif 000015
【図１４】
2007334999.tif 000016
【図１５】
2007334999.tif 000017
【図１６】
2007334999.tif 000018
【図１７】
2007334999.tif 000019
【図１８】
2007334999.tif 000020
【図１９】
2007334999.tif 000021
【図２０】
2007334999.tif 000022
【図２１】
2007334999.tif 000023